(57)【要約】      （修正有）【課題】手持ち及び据置き両用扇風機を提供する。【解決手段】手持ち及び据置き両用扇風機は、底座１、羽根部２及び回転部３を備え、当該底座は、ケース１１と、位置決め台１２とを備え、当該底座と連接する当該羽根部は、ハンドル部２１と、羽根２２と、制御ユニット２３と、羽根部の電力供給ユニット２４とを備え、当該ハンドル部と当該羽根部との間に設けられる当該回転部は、回転ユニットと、カバー部３４とを備える。本考案は従来の扇風機と同様に手持ちタイプ及び据え置きタイプの二種類の使用方法を備える以外に、さらに回転機能を備えることで、送風範囲が大きくなり、実用性、便利さが高まり、使用者の需要に合うようになる。【選択図】図１
0003219330.tif 000002
【実用新案登録請求の範囲】
【請求項１】
底座、羽根部及び回転部を備え、
当該底座は、内部にある第一収容空間を有するケースと、当該第一収容空間に設けられる位置決め台とを備え、当該ケースの頂部面に当該第一収容空間と互いに連通し、且つ当該位置決め台の頂部面に対応する通孔が設けられ、
当該底座と連接する当該羽根部は、内部に第二収容空間を備えて且つ一端が当該位置決め台の頂部面に対応するハンドル部と、当該ハンドル部の一端に設けられる羽根と、当該第二収容空間に設けられ、且つ当該羽根を制御する制御ユニットと、当該第二収容空間に設けられ、且つ当該制御ユニットと電気的に連接することで電力を供給するための羽根部の電力供給ユニットとを備え、
当該ハンドル部と当該羽根部との間に設けられる当該回転部は、当該制御ユニットと電気的に連接して当該羽根部の回転と連動するための回転ユニットと、当該羽根部と連接して当該回転ユニットの外側に設けられるカバー部とを備えることを特徴とする手持ち及び据置き両用扇風機。
【請求項２】
前記ケースが、上ケース及び当該上ケースに対応する下ケースで組立てられることを特徴とする請求項1に記載の手持ち及び据置き両用扇風機。
【請求項３】
前記ハンドル部が、ハンドル部の前半部及び当該ハンドル部の前半部に対応するハンドル部の後半部で組立てられることを特徴とする請求項1に記載の手持ち及び据置き両用扇風機。
【請求項４】
前記カバー部が、カバー部の前半部及び当該カバー部の前半部に対応するカバー部の後半部で組立てられることを特徴とする請求項1に記載の手持ち及び据置き両用扇風機。
【請求項５】
前記ハンドル部の一端の頂部面にさらに突起部が設けられ、頂部面の周縁にさらにハンドル部の縁部が設けられ、当該突起部の側にガイド槽が凹設され、当該ハンドル部の縁部の頂部面にさらに柱状止め部が設けられ、
前記カバー部の一端に、さらに当該突起部が覆われ、当該ハンドル部の縁部に対応して、且つ裏側の縁が当該ガイド槽に置かれるためのカバー部の縁部が設けられ、その側縁に、さらに当該柱状止め部が設置されるための切欠きが形成され、当該カバー部の他の一端にさらに位置決め部が設けられ、
前記回転ユニットは、前記第二収容空間に設けられるモータ組立と、当該モータ組立で連動するための被動柱状突起を有する被動輪と、一端に当該位置決め部に対応する固定軸心、及び当該被動柱状突起が設置されて位置決められることでスライドされるためのスライド用長孔を有する連接棒とを備えることを特徴とする請求項1に記載の手持ち及び据置き両用扇風機。
【請求項６】
前記モータ組立が、保護ケース及び当該保護ケース内に設けられる減速用モータで組立てられることを特徴とする請求項5に記載の手持ち及び据置き両用扇風機。
【請求項７】
前記制御ユニットは、プリント基板と、当該プリント基板と電気的に連接して前記羽根部の電力供給ユニットの電力供給を制御するための羽根の制御部とを備えることを特徴とする請求項1に記載の手持ち及び据置き両用扇風機。
【請求項８】
前記制御ユニットは、さらに前記プリント基板と電気的に連接して外部電源を連接するための第一充電ボードを備えることを特徴とする請求項7に記載の手持ち及び据置き両用扇風機。
【請求項９】
前記制御ユニットは、さらに前記プリント基板と電気的に連接して外向きに発光する少なくとも一つの発光部品を備えることを特徴とする請求項7に記載の手持ち及び据置き両用扇風機。
【請求項１０】
前記位置決め台の頂部面にさらに第一コネクタが設けられ、
前記ケースの外側にさらに当該第一コネクタと電気的に連接して外部電源に連接するための第二充電ボードが設けられ、
前記制御ユニットは、前記プリント基板と電気的に連接され、且つ前記ハンドル部の一端に設けられ、当該第一コネクタに対応して連接するための第二コネクタが設けられることを特徴とする請求項7に記載の手持ち及び据置き両用扇風機。
【考案の詳細な説明】
【技術分野】
【０００１】
本考案は、手持ち及び据置き両用扇風機に関するものである。
【従来の技術】
【０００２】
世界中の気温が年々増加することで、毎年夏の平均気温はだんだん高くなり、もしこんな暑い夏に室内にいる場合に、空気が流通してないことで、勉強及び仕事する効率が悪くなる。
【０００３】
こんな暑い夏を渡すために、扇風機が不可欠な電気製品であり、家庭用の扇風機で熱気を発散することができますが、大型であるので、携帯することができなくなる。
【０００４】
従って、容易に携帯する小型の手持ちタイプ扇風機が現れ、その構造は羽根及びハンドルを備え、主に電池で作動するようになり、使用者は室外にいる場合に、ハンドルを握って使用できる。
【０００５】
従来の手持ちタイプ扇風機は手持ちで使用する機能だけがあるので、よく底座と共に販売され、手持ちタイプ扇風機を底座に設置されることで小型の据え置きタイプ扇風機として使われることができるが、普通の家庭用扇風機と違い、首振りの機能を備えないので、単一の方向だけに送風することで、送風範囲はちいさい、散熱効果が良くなくなる。
【考案の概要】
【考案が解決しようとする課題】
【０００６】
そこで、上記の問題点に対して、手持ち及び据置き両用扇風機を提供することが本考案の課題となる。
【課題を解決するための手段】
【０００７】
本考案の目的は、首振りの機能を備えることで送風範囲を拡大し、よい散熱効果を達成する手持ち及び据置き両用扇風機を提供することである。
【０００８】
前記問題点を解決でき、上記目的を達成するために、底座、羽根部及び回転部を備え、当該底座は、内部にある第一収容空間を有するケースと、当該第一収容空間に設けられる位置決め台とを備え、当該ケースの頂部面に当該第一収容空間と互いに連通し、且つ当該位置決め台の頂部面に対応する通孔が設けられ、当該底座と連接する当該羽根部は、内部に第二収容空間を備えて且つ一端が当該位置決め台の頂部面に対応するハンドル部と、当該ハンドル部の一端に設けられる羽根と、当該第二収容空間に設けられ、且つ当該羽根を制御する制御ユニットと、当該第二収容空間に設けられ、且つ当該制御ユニットと電気的に連接することで電力を供給するための羽根部の電力供給ユニットとを備え、当該ハンドル部と当該羽根部との間に設けられる当該回転部は、当該制御ユニットと電気的に連接して当該羽根部の回転と連動するための回転ユニットと、当該羽根部と連接して当該回転ユニットの外側に設けられるカバー部とを備える。
【０００９】
前記ケースが、上ケース及び当該上ケースに対応する下ケースで組立てられることが好ましい。
【００１０】
前記ハンドル部が、ハンドル部の前半部及び当該ハンドル部の前半部に対応するハンドル部の後半部で組立てられることが好ましい。
【００１１】
前記カバー部が、カバー部の前半部及び当該カバー部の前半部に対応するカバー部の後半部で組立てられることが好ましい。
【００１２】
前記ハンドルの一端の頂部面にさらに突起部が設けられ、頂部面の周縁にさらにハンドル部の縁部が設けられ、当該突起部の側にガイド槽が凹設され、当該ハンドル部の縁部の頂部面にさらに柱状止め部が設けられ、前記カバー部の一端に、さらに当該突起部が覆われ、当該ハンドル部の縁部に対応して、且つ裏側の縁が当該ガイド槽に置かれるためのカバー部の縁部が設けられ、その側縁に、さらに当該柱状止め部が設置されるための切欠きが形成され、当該カバー部の他の一端にさらに位置決め部が設けられ、前記回転ユニットは、前記第二収容空間に設けられるモータ組立と、当該モータ組立で連動するための被動柱状突起を有する被動輪と、一端に当該位置決め部に対応する固定軸心、及び当該被動柱状突起が設置されて位置決められることでスライドされるためのスライド用長孔を有する連接棒とを備えることが好ましい。
【００１３】
前記モータ組立が、保護ケース及び当該保護ケース内に設けられる減速用モータで組立てられることが好ましい。
【００１４】
前記制御ユニットは、プリント基板と、当該プリント基板と電気的に連接して前記羽根部の電力供給ユニットの電力供給を制御するための羽根の制御部とを備えるための第一充電ボードを備えることが好ましい。
【００１５】
前記制御ユニットは、さらに前記プリント基板と電気的に連接して外部電源を連接するための第一充電ボードを備えることが好ましい。
【００１６】
前記制御ユニットは、さらに前記プリント基板と電気的に連接して外向きに発光する少なくとも一つの発光部品を備えることが好ましい。
【００１７】
前記位置決め台の頂部面にさらに第一コネクタが設けられ、前記ケースの外側にさらに当該第一コネクタと電気的に連接して外部電源に連接するための第二充電ボードが設けられ、前記制御ユニットは、前記プリント基板と電気的に連接され、且つ前記ハンドル部の一端に設けられ、当該第一コネクタに対応して連接するための第二コネクタが設けられることが好ましい。
【００１８】
本考案は、従来の技術と比べて、次に列挙する効果がある。
【００１９】
1.本考案の手持ち及び据置き両用扇風機について、回転部が羽根部と結合されてハンドル部と羽根との間に設けられることで、羽根部が底座から取り外されでも回転機能が維持されるようになり、従って、本考案は手持ちの状態である場合に、使用者は手をよく動かなくでも、本考案の扇風機の送風範囲が大きくなり、実用性、便利さが高まり、使用者の需要に合うようになる。
【図面の簡単な説明】
【００２０】
【図１】：本考案を示す斜視図
【図２】：本考案の別の視角を示す斜視図
【図３】：本考案の図2の底座を示す斜視分解図
【図４】：本考案の図2の羽根部及び回転部を示す斜視分解図
【図５】：本考案の図4の別の視角を示す斜視分解図
【図６】：本考案の羽根が回転する実施状態を示す図
【考案を実施するための形態】
【００２１】
以下、本考案の実施の形態について、図面を参照して詳細に説明する。
【００２２】
図1乃至図4に示すように、本考案の手持ち及び据置き両用扇風機は、底座1、羽根部2及び回転部3を備え、当該底座1は、内部にある第一収容空間10を有するケース11と、当該第一収容空間10に設けられる位置決め台12とを備え、当該ケース11の頂部面に当該第一収容空間10と互いに連通し、且つ当該位置決め台12の頂部面に対応する通孔111が設けられ、当該底座1と連接する当該羽根部2は、内部に第二収容空間20を備えて且つ一端が当該位置決め台12の頂部面に対応するハンドル部21と、当該ハンドル部21の一端に設けられる羽根22と、当該第二収容空間20に設けられ、且つ当該羽根22を制御する制御ユニット23と、当該第二収容空間20に設けられ、且つ当該制御ユニット23と電気的に連接することで電力を供給するための羽根部の電力供給ユニット24とを備え、当該ハンドル部21と当該羽根部22との間に設けられる当該回転部3は、当該制御ユニット23と電気的に連接して当該羽根部22の回転と連動するための回転ユニット31と、当該羽根部22と連接して当該回転ユニット31の外側に設けられるカバー部34とを備える。
【００２３】
前記回転ユニット31及び前記カバー部34で組立てられ、且つ前記ハンドル部21と前記羽根22との接合部分に位置される前記回転部3が前記羽根部2に設けられ、図5に示すように、上述した構造により、本考案は首振りの機能があることで、広い送風範囲があるようになる。
【００２４】
前記ケース11が、上ケース112及び当該上ケース112に対応する下ケース113で組立てられる。
【００２５】
前記ケース11は、図3に示すように、前記上ケース112及び前記下ケース113を備え、従って生産すること及び組み立てることが容易になり、使用中のトラブルの発生が減少できる。
【００２６】
前記ハンドル部21が、ハンドル部の前半部211及び当該ハンドル部の前半部211に対応するハンドル部の後半部212で組立てられる。
【００２７】
前記ハンドル部21は、図3及び図4に示すように、前記ハンドル部の前半部211及び前記ハンドル部の後半部212を備え、こういうデザインによって生産すること及び組み立てることが容易になり、使用中のトラブルの発生が減少できる。
【００２８】
前記カバー部34が、カバー部の前半部341及び当該カバー部の前半部341に対応するカバー部の後半部342で組立てられる。
【００２９】
前記カバー部34は、図8及び図9に示すように、前記カバー部の前半部341及び前記カバー部の後半部342を備えることで、生産すること及び組み立てることが容易になる。
【００３０】
前記ハンドル21の一端の頂部面にさらに突起部213が設けられ、頂部面の周縁にさらにハンドル部の縁部214が設けられ、当該突起部213の側にガイド槽2131が凹設され、当該ハンドル部の縁部214の頂部面にさらに柱状止め部2141が設けられ、前記カバー部34の一端に、さらに当該突起部213が覆われ、当該ハンドル部の縁部214に対応して、且つ裏側の縁が当該ガイド槽2131に置かれるためのカバー部の縁部343が設けられ、その側縁に、さらに当該柱状止め部2141が設置されるための切欠き3431が形成され、当該カバー部34の他の一端にさらに位置決め部344が設けられ、前記回転ユニット31は、前記第二収容空間20に設けられるモータ組立313と、当該モータ組立313で連動するための被動柱状突起3141を有する被動輪314と、一端に当該位置決め部344に対応する固定軸心3152、及び当該被動柱状突起3141が設置されて位置決められることでスライドされるためのスライド用長孔3153を有する連接棒315とを備える。
【００３１】
前記羽根部2にある前記回転部3で前記羽根22の回転が連動され、その組み立ては、図3及び図4に示すように、当該回転部3と連接する前記ハンドル21の一端に、前記ガイド槽2131を有する前記突起部213及び周縁にある前記柱状止め部2141を有する前記ハンドル部の縁部214が設けられ、前記カバー部34の一端に前記切欠き3431を有する前記カバー部の縁部343が設けられる。
【００３２】
前記回転ユニット31が前記ハンドル部21と前記羽根22との間に設けられるので、当該回転ユニット31は前記モータ組立313と、前記被動輪314と、前記連接棒315とを備え、上述した部品がそれぞれに当該ハンドル部21の前記第二収容空間20及び前記カバー部34内に設けられる。
【００３３】
前記カバー部34の一端が前記突起部213に套接され、前記カバー部の縁部343が前記ハンドル部の縁部214と接合され、且つ裏側の縁が前記ガイド槽2131に置かれることで、前記ハンドル部21と前記カバー部34との組立が安定になる。
【００３４】
前記モータ組立313が、保護ケース3131及び当該保護ケース3131内に設けられる減速用モータ3132で組立てられる。
【００３５】
前記回転部3が設置される位置の空間が小さいので、一部の部品が省略され、当該回転部3はただ前記保護ケース3131と、前記減速用モータ3132とを備えることでも回転することができる。
【００３６】
前記制御ユニット23は、プリント基板231と、当該プリント基板231と電気的に連接して前記羽根部の電力供給ユニット24の電力供給を制御するための羽根の制御部232とを備える。
【００３７】
前記プリント基板231及び前記羽根の制御部232により、前記羽根22の作動を制御することができ、且つ当該プリント基板231で当該羽根22の回転速度を制御することができ、良い散熱効果が達成される。
【００３８】
前記制御ユニット23は、さらに前記プリント基板231と電気的に連接して外部電源を連接するための第一充電ボード233を備える。
【００３９】
前記第一充電ボード233により、前記羽根部の電力供給ユニット24に電力を供給することで、前記羽根22の作動が達成される。
【００４０】
前記制御ユニット23は、さらに前記プリント基板231と電気的に連接して外向きに発光する発光部品234を備える。
【００４１】
前記発光部品234により、前記羽根22が作動する同時に発光し、充電する時にも提示用の光源として使われるようになる。
【００４２】
前記位置決め台12の頂部面にさらに第一コネクタ13が設けられ、前記ケース11の外側にさらに当該第一コネクタ13と電気的に連接して外部電源に連接するための第二充電ボード14が設けられ、前記制御ユニット23は、前記プリント基板231と電気的に連接され、且つ前記ハンドル部21の一端に設けられ、当該第一コネクタ13に対応して連接するための第二コネクタ235が設けられる。
【００４３】
図8に示すように、前記凹み部121に前記第一コネクタ13が設けられ、前記ケース11の外側にさらに当該第一コネクタ13と電気的に連接する第二充電ボード14が設けられ、当該羽根部2の前記ハンドル部21の一端に前記第二コネクタ235が設けられ、当該第一コネクタ13と電気的に連接され、当該第二充電ボード14が外部電源に連接されることで、充電できる。
【００４４】
前記底座1及び前記羽根部2の様式は、図面に示す様式だけではなく、円形、多辺形などの様々な様式でもあるので、本考案は多様な造形及び外見を備え、図面に示すものに制限されない。
【００４５】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００４６】
1    底座        
11   ケース    
111  通孔        
112  上ケース        
113  下ケース        
12   位置決め台    
121  凹み部    
13   第一コネクタ        
14   第二充電ボード    
2    羽根部    
21   ハンドル部    
211  ハンドル部の前半部    
212  ハンドル部の後半部    
213  突起部    
2131 ガイド槽        
214  ハンドル部の縁部        
2141 柱状止め部    
22   羽根        
23   制御ユニット        
231  プリント基板        
232  羽根部の制御部    
233  第一充電ボード    
234  発光部品        
235  第二コネクタ        
24   羽根部の電力供給ユニット        
3    回転部    
31   回転ユニット        
313  モータ組立    
3131 保護ケース    
3132 減速用モータ        
314  被動輪    
3141 被動柱状突起        
315  連接棒    
3152 固定軸心        
3153 スライド用長孔    
34   カバー部        
341  カバー部の前半部        
342  カバー部の後半部        
343  カバー部の縁部    
3431 切欠き    
344  位置決め部    
10   第一収容空間        
20   第二収容空間        
【図１】
0003219330.tif 000003
【図２】
0003219330.tif 000004
【図３】
0003219330.tif 000005
【図４】
0003219330.tif 000006
【図５】
0003219330.tif 000007
【図６】
0003219330.tif 000008